(57)【特許請求の範囲】
【請求項１】
露出補正入力部材と、測光値を固定する手段と、露出補正値を設定する手段と、測光値の固定や露出補正の制御をする手段とを備えたカメラにおいて、
前記露出補正入力部材の操作により、前記測光値を固定すると共に前記露出補正入力部材が操作されたまま前記露出補正値を設定する手段を操作することで露出補正量を設定する制御手段を有することを特徴としたカメラ。
【請求項２】
露出補正入力部材と、測光値を固定する手段と、露出補正値を設定する手段と、測光値の固定や露出補正の制御をする手段とを備えたカメラにおいて、
前記露出補正入力部材が操作された状態で、前記露出補正値を設定する手段を操作することで、測光値を固定するとともに、露出補正量を設定する制御手段を有することを特徴としたカメラ。
【請求項３】
測光値を固定する手段と、露出補正値を設定する手段と、測光値の固定や露出補正の制御をする手段とを備えたカメラにおいて、
前記露出補正値を設定する手段の１回目の操作で測光値を固定し、その後の操作で露出補正量を修正する制御手段を有することを特徴としたカメラ。
【請求項４】
分割測光、平均測光、部分測光、スポット測光等の測光モード切り替え手段と、測光値を固定する手段と、露出補正値を設定する手段と、測光値の固定や露出補正の制御をする手段とを備えたカメラにおいて、
部分測光またはスポット測光等の画面内のごく限られた部分を測光する測光モードが前記測光モード切り替え手段により選択されている場合に、前記露出補正を設定する手段の操作により、前記測光値を固定すると共に露出補正量を設定する制御手段を有することを特徴としたカメラ。
【請求項５】
請求項４において、測光値を固定した状態で前記露出補正量がゼロにセットされることで測光値の固定を解除する制御手段を有することを特徴としたカメラ。
【請求項６】
分割測光、平均測光、部分測光、スポット測光等の測光モード切り替え手段と、測光値を固定する手段と、露出補正値を設定する手段と、測光値の固定や露出補正の制御をする手段とを備えたカメラにおいて、
部分測光またはスポット測光等の画面内のごく限られた部分を測光する測光モードが前記測光モード切り替え手段により選択されている場合に、前記露出補正値を設定する手段の一回目の操作で測光値を固定し、その後の操作で露出補正量を修正する制御手段を有することを特徴としたカメラ。
【請求項７】
分割測光、平均測光、部分測光、スポット測光等の測光モード切り替え手段と、測光値を固定する手段と、露出補正値を設定する手段と、測光値の固定や露出補正の制御をする手段とを備えたカメラにおいて、
前記露出補正値を設定する手段の操作により測光モードを部分測光またはスポット測光に強制的に切り替えて測光し、前記測光値を固定すると共に露出補正値を設定する制御手段を有することを特徴としたカメラ。
【発明の詳細な説明】
【０００１】
【産業上の利用分野】
本発明は、露出補正を設定する手段と測光値を固定する手段（ＡＥロック手段）を用いて測光値の固定や露出補正の制御をする手段を有するカメラに関するものである。
【０００２】
【従来の技術】
近年、カメラの動作はプログラム化され、種々の撮影モードの設定されたカメラが提案されている。
【０００３】
このようなモードの中で、例えばプログラムモードは、測光値等より、シャッタ秒時と絞り値がプログラムに従って自動的に設定される。この設定値は、例えばカメラの本体に設けられた表示器に表示され、撮影者にその値を示すようになっている。
【０００４】
一方、撮影者は好みにより種々の撮影条件で撮影を行いたい場合があり、このようなカメラの測光部材で決定された値での露光ではなくアンダーあるいはオーバーで撮影したいことがある。
【０００５】
この機構は、前記表示器に、バー目盛り形態の補正段数表示を行う露出補正表示部が設けられていて、カメラ本体に設けられた露出補正入力用ダイアル操作部材を操作することによって、指標マークが該表示部の中央位置に設定されている補正「０」位置（以下未設定位置と称す）から「＋」または「−」側に移動し、撮影者は該マークの移動位置を見ながら補正段数を所望の位置に合わせるようにしている。
【０００６】
他方、この露出補正はカメラ本体に設けられた露出補正設定釦を押しながら、カメラ本体に設けられたダイアル操作部材を操作した場合にのみ動作し、補正の修正及び未設定位置への復帰も、該露出補正設定釦を押した状態で該ダイアル操作部材の操作を必要とする。
【０００７】
【発明が解決しようとする課題】
撮影者の意図にあった露出で撮影を行う場合には、カメラの測光部材で自動的に設定された露出量では満足できない場合があり、例えば「この部分の黒は黒く」「この部分の白は白く」等の露出決定のようにＡＥロックと露出補正を同時に使いたいという要求が多く、本要求を実現するために従来の技術では、２つの露出補正入力部材を操作する必要があり、操作性が悪いという問題点があった。
【０００８】
本発明は、操作性の向上を目的とし、一つにはＡＥロックと露出補正の設定が一連の動作で実現できるのと、二つには該設定を１つの露出補正入力部材で操作できるようにするものである。
【０００９】
【課題を解決するための手段】
請求項１に係る発明は、露出補正入力部材と、測光値を固定する手段と、露出補正値を設定する手段と、測光値の固定や露出補正の制御をする手段とを備えたカメラにおいて、前記露出補正入力部材の操作により、前記測光値を固定すると共に前記露出補正入力部材が操作されたまま前記露出補正値を設定する手段を操作することで露出補正量を設定する制御手段を有することを特徴とする。
【００１０】
この構成によれば、露出補正入力部材を操作したまま露出補正値を設定する手段を操作するだけで測光値の固定と、露出補正量の設定が行え、カメラの露出補正の操作性が良くなる。
【００１１】
請求項２に係る発明は、露出補正入力部材と、測光値を固定する手段と、露出補正値を設定する手段と、測光値の固定や露出補正の制御をする手段とを備えたカメラにおいて、前記露出補正入力部材が操作された状態で、前記露出補正値を設定する手段を操作することで、測光値を固定するとともに、露出補正量を設定する制御手段を有することを特徴とする。
【００１２】
この構成によれば、露出補正入力部材を操作した後に露出補正値を設定する手段を操作することで、露出補正量の設定が行なえ、カメラの露出補正の操作性が良くなる。
【００１３】
請求項３に係る発明は、測光値を固定する手段と、露出補正値を設定する手段と、測光値の固定や露出補正の制御をする手段とを備えたカメラにおいて、前記露出補正値を設定する手段の１回目の操作で測光値を固定し、その後の操作で露出補正量を修正する制御手段を有することを特徴とする。
【００１４】
この構成によれば、露出補正値を設定する手段を順次操作することにより測光値の固定と露出補正が順次行え、カメラの露出補正の操作性が良くなる。
【００１５】
請求項４に係る発明は、分割測光、平均測光、部分測光、スポット測光等の測光モード切り替え手段と、測光値を固定する手段と、露出補正値を設定する手段と、測光値の固定や露出補正の制御をする手段とを備えたカメラにおいて、部分測光またはスポット測光等の画面内のごく限られた部分を測光する測光モードが前記測光モード切り替え手段により選択されている場合に、前記露出補正を設定する手段の操作により、前記測光値を固定すると共に露出補正量を設定する制御手段を有することを特徴とする。
【００１６】
この構成によれば、部分測光またはスポット測光等の画面内のごく限られた部分を測光する測光モードが測光モード切り替え手段により選択されている場合に、露出補正を設定する手段の操作により、測光値を固定すると共に露出補正量を設定することができる。
また、請求項５に係る発明は、上記請求項４において、測光値を固定した状態で前記露出補正量がゼロにセットされることで測光値の固定を解除する制御手段を有することを特徴とする。
この構成によれば、露出補正を設定する手段の操作により、測光値の固定状態を解除でき、カメラの露出補正の操作性が良くなる。
【００１７】
請求項６に係る発明は、分割測光、平均測光、部分測光、スポット測光等の測光モード切り替え手段と、測光値を固定する手段と、露出補正値を設定する手段と、測光値の固定や露出補正の制御をする手段とを備えたカメラにおいて、部分測光またはスポット測光等の画面内のごく限られた部分を測光する測光モードが前記測光モード切り替え手段により選択されている場合に、前記露出補正値を設定する手段の一回目の操作で測光値を固定し、その後の操作で露出補正量を修正する制御手段を有することを特徴とする。
【００１８】
この構成によれば、部分測光またはスポット測光等の画面内のごく限られた部分を測光する測光モードが前記測光モード切り替え手段により選択されている場合に、露出補正値を設定する手段の一回目の操作で測光値を固定し、その後の操作で露出補正量を修正するので、カメラの露出補正の操作性が良くなる。
【００１９】
請求項７に係る発明は、分割測光、平均測光、部分測光、スポット測光等の測光モード切り替え手段と、測光値を固定する手段と、露出補正値を設定する手段と、測光値の固定や露出補正の制御をする手段とを備えたカメラにおいて、前記露出補正値を設定する手段の操作により測光モードを部分測光またはスポット測光に強制的に切り替えて測光し、前記測光値を固定すると共に露出補正値を設定する制御手段を有することを特徴とする。
【００２０】
この構成によれば、露出補正値を設定する手段の操作により測光モードを部分測光またはスポット測光に強制的に切り替えて測光し、前記測光値を固定すると共に露出補正値を設定するので、カメラの露出補正の操作性が良くなる。
【００３３】
【実施例】
＜第１の実施例＞
図２は、本発明のカメラの電気制御を表したブロック図である。１は、カメラの各部の動きを制御するためのマイクロコンピューターである。２は、レンズ制御回路で、後述の撮影レンズの焦点調節用モータと絞り羽根制御用モーターを駆動制御する。レンズ制御回路２は、マイクロコンピューター１からＬＣＯＭ信号を受けている間、ＤＢＵＳを介してシリアル通信を行う。該通信によりモータ駆動情報を受け取り、その情報によりモータを駆動制御する。また、同時にレンズの各種の情報（焦点距離、等）を該通信によりマイクロコンピューター１に送る。
【００３４】
３は、カメラのバッテリー残量、撮影枚数、ＴＶ値、ＡＶ値、露出補正量等を撮影者に知らせるための後術の液晶表示器を駆動するための液晶表示回路である。液晶表示回路３は、マイクロコンピューター１からＤＰＣＯＭ信号を受けている間、ＤＢＵＳを介しシリアル通信を行う。該通信により表示内容のデータを受け取り、そのデータに従って後述の液晶表示器を駆動する。
【００３５】
４は、スイッチセンス回路であり、撮影者が各撮影条件を設定するためのスイッチや、カメラの状態を示すスイッチの状態を読み取り、マイクロコンピューター１に送る回路であり、ＳＷＣＯＭ信号を受けている間、ＤＢＵＳを介しシリアル通信によりマイクロコンピューター１にスイッチデータを送る。また、後述の電子ダイアルの入力値により、ダイアル値のカウントアップ／カウントダウンも行い、ＳＷＣＯＭ信号を受けている間、ＤＢＵＳを介しシリアル通信によりマイクロコンピューター１にカウント値を送る。
【００３６】
５は、ストロボ発光調光制御回路であり、ストロボの発光とＴＴＬ調光による発光停止機能を制御する回路である。ストロボ発光調光制御回路５は、ＳＲＣＯＭ信号を受けている間、ＤＢＵＳを介してマイクロコンピューター１とシリアル通信を行いストロボ制御に関するデータを受け取り各種の制御を行う。また、この回路は、後述の外付けストロボがカメラに装着された場合のインターフェースの働きも行う。よって、後述の外付けストロボが装着された場合は、後述の外付けストロボと通信を行い補助光が有るか無いか等の情報をマイクロコンピューター１に送る。逆に、マイクロコンピューター１からの制御信号を後述の外付けストロボに伝える役割も行う。
【００３７】
６は、焦点検出回路で既存の位相差検出方式によりオートフォーカスを行うためのラインセンサーと、その蓄積読み出しのための回路ユニットとにより構成されるもので、マイクロコンピューター１により制御を行う。マイクロコンピューター１は、センサー出力のＡ／Ｄ値をもとに、既存のアルゴリズムで測距を行い、レンズ駆動量を演算しレンズ制御回路２に演算で求めたレンズ駆動量を通信し、レンズを駆動し合焦させる。
【００３８】
７は、測光回路であり、複数に分割された不図示の測光センサーで被写体の測光を行い、マイクロコンピューター１の制御により測光出力をマイクロコンピューター１に送る。マイクロコンピューター１は送られた測光出力をＡ／Ｄ変換し、設定されている測光モードに従って複数の測光センサーの出力を選択し、測光モードに従ったアルゴリズムで輝度を計算し、その輝度をもとに露出条件（絞り、シャッタースピード）を求める。
【００３９】
８は、シャッター制御回路でマイクロコンピューター１の制御信号に従って、不図示のシャッター先幕及び後幕の走行制御を行う。９は、給送モータ／チャージモータ制御回路でマイクロコンピューター１からの制御信号に従って、フィルムの給送（巻き上げ、巻戻し）を行う。また、本モータ制御回路はミラーアップ／チャージ（ミラーダウン）用モータの制御も行う。
【００４０】
ＳＷ１は、カメラの動作を開始させる第１のスイッチであり、第１のスイッチＳＷ１がＯＮされたことをマイクロコンピューター１が認識すると測光・測距・表示をスタートさせる。ＳＷ２は、カメラのレリーズスイッチと連動している第２のスイッチで、第２のスイッチＳＷ２がＯＮされたことをマイクロコンピューター１が認識すると露光動作をスタートさせる。
【００４１】
Ｘ接点はシャッターの先幕の走行完了のタイミングでＯＮし、ストロボ発光のタイミングをストロボ発光調光制御回路５に知らせる役目をする。
【００４２】
ＳＷ３は、カメラのモード（ＴＶ優先、ＡＶ優先、マニアル、プログラム等）を切り替えるための第３のスイッチである。
【００４３】
１０は、ＴＶ値、ＡＶ値、測光モード等を変更するための露出補正値を設定する手段としての電子ダイアルである。例えば、第３のスイッチＳＷ３のモード切り替えスイッチを押しながら電子ダイアル１０を回転させると、ＴＶ優先→ＡＶ優先→マニアル→プログラム→ＴＶ優先→ＡＶ優先→マニアル→プログラム‥‥と変更され、撮影者の意図するモードに設定することができる。また、電子ダイアル１０を逆回転させた時は、プログラム→マニアル→ＡＶ優先→ＴＶ優先→プログラム→‥‥とモードは逆に変更される。
また、第３のスイッチＳＷ３と電子ダイアル１０によりＴＶ優先がモードとして設定されている場合には、第３のスイッチＳＷ３をＯＦＦにし電子ダイアル１０のみを回転させることにより撮影者の希望とするＴＶ値を設定することができる。
また、第３のスイッチＳＷ３と電子ダイアル１０によりすでにＡＶ優先がモードとして設定されている場合には、第３のスイッチＳＷ３をＯＦＦにし電子ダイアル１０のみを回転させることにより撮影者の希望とするＡＶ値を設定することができる。
【００４４】
ＳＷ４はマニアル時にＡＶ値をセットするための第４のスイッチであり、第３のスイッチＳＷ３と電子ダイアル１０によりマニアルが選択されている場合に、第３のスイッチＳＷ３と第４のスイッチＳＷ４を押さずに電子ダイアル１０を回転させると、回転しただけＴＶ値がアップ／ダウンし、ＴＶ値の設定が可能となり、第４のスイッチＳＷ４を押しながら電子ダイアル１０を回転させると、回転しただけＡＶ値がアップ／ダウンしＡＶ値の設定が可能となる。
【００４５】
ＳＷ５は、測光のモード（分割測光、平均測光、部分測光、スポット測光等）を切り替えるための測光モード切り替え手段としての第５のスイッチである。第５のスイッチＳＷ５を押しながら電子ダイアル１０を回転させることにより、希望の測光モードをセットする。
【００４６】
ＳＷ６は露出補正を設定するための露出補正入力部材としての第６のスイッチである。ここで、第６のスイッチＳＷ６を押しながら、電子ダイアル１０を回転させることにより、希望の補正値に設定する。電子ダイアル１０の回転方向が例えば時計回りの方向の場合はプラス補正となり設定量が増し、逆方向の回転では、マイナス方向に設定量が変化する。
【００４７】
ところで、本実施例においては、露出補正が設定されていない状況で露出補正設定用の第６のスイッチＳＷ６を押すと測光値がロックされるようにマイクロコンピューター１が動作する。
【００４８】
ＳＷ７はクリアースイッチであり、ＡＥロックがかかっている場合に押された場合はＡＥロックを解除し、露出補正がかかっている場合に押された場合は露出補正量を０にする。
【００４９】
１１は、外部表示装置で、液晶表示回路３によって駆動される。１２は、ファインダー内液晶表示装置で、外部表示装置１１と同様液晶表示回路３によって駆動される。１３は、交換可能なレンズであり、レンズ制御回路２を通して制御される。１４は、外付けストロボであり、ストロボ発光調光制御回路５を通して制御される。また、本ストロボは、カメラ本体とは別個の電源を持つ。
【００５０】
次に、図３のフロー図を用いて簡単にカメラの一連の動作について説明する。
なお、括弧内の数字はステップ番号を示す。
【００５１】
まず（３００）でカメラのスイッチが押された等の要因によりカメラの電源が入ると共に、スイッチセンス回路４の情報をもとに、（３０１）で各種モードの切り替えや、各種設定値の入力を行い、スイッチに変化が有った場合は液晶表示回路３に情報を転送して、表示データを修正する。
【００５２】
第１のスイッチＳＷ１が押されているか、押されていないかの判定（３０２）を行い、押されている場合は、測光・測距のために（３０６）へ進み、押されていない場合は、電源をＯＦＦするかどうかの判定を行う（３０３）に進み、電源をＯＦＦする場合は（３０４）へ進み、動作の停止のため、カメラのファインダー内や外部の不必要な部分の表示を液晶表示回路３により消灯し、電源をＯＦＦする。電源をＯＦＦしない場合は再び初期の（３０１）のスイッチ情報入力に戻る。このことにより、何らかの要因で、カメラの電源が立ち上がった場合には一定時間、電源を起こしておくことにより、スイッチの状態のチェックや表示の切り替えを行う。
【００５３】
（３０２）で第１のスイッチＳＷ１が押されている場合は（３０６）に進み、測光のステップ（３０６）では測光回路７により、複数に分割された測光センサーで被写体の測光を行い、マイクロコンピューター１で測光出力をＡ／Ｄ変換し、設定されている測光モードに従って複数の測光センサーの出力を選択し、測光モードに従ったアルゴリズムで輝度を計算し、その輝度をもとに露出条件（絞り、シャッタースピード）を求める。
【００５４】
次の測距のステップ（３０７）では焦点検出回路６を用いて、ラインセンサーに蓄積し、読み出しを行い、そのセンサー出力のＡ／Ｄ値をもとに、既存のアルゴリズムで測距を行い、レンズ駆動量を演算した後に、レンズ制御回路２に演算で求めたレンズ駆動量を通信し、レンズを駆動し合焦させる。
【００５５】
（３０８）で、（３０６）で設定されたＡＶ値・ＴＶ値を液晶表示回路３によりファインダー内液晶表示装置１２と外部表示装置１１に表示する。また、（３０７）の測距結果が合焦ならば、合焦表示も行う。
【００５６】
次に、カメラの状態がレリーズを許可して良い状態か否かの判定（３０９）を行う。例えば、ＡＦモードが、「ワンショットモード」である場合は（３０７）の測距結果が、合焦ならばレリーズを許可され、第２のスイッチＳＷ２のチェックを行う為に（３１０）に進み、合焦でない場合は、スイッチのチェックの為に（３０１）に戻り、第１のスイッチＳＷ１がＯＮの場合は再び測光・測距・表示を行う。
【００５７】
レリーズが許可されると第２のスイッチＳＷ２が押されているか否かの判定を行い、以降のレリーズ動作に進むか否かの判定を行う。第２のスイッチＳＷ２がＯＮの場合はレリーズ動作を行う為に（３１１）に進み、第２のスイッチＳＷ２がＯＦＦの場合は、スイッチのチェックの為に（３０１）に戻る。第１のスイッチＳＷ１がＯＮの場合は再び測光・測距・表示を行う。
【００５８】
レリーズ動作が開始されると、（３１１）で給送モータ／チャージモータ制御回路９により、ミラーをアップすると共に、（３０６）で決められた絞り量をレンズ制御回路２によりレンズ１３に通信し、設定露光量が得られるように絞り込み動作を行う。
【００５９】
次に（３１２）でシャッター制御回路８を用いて、（３０６）で決められたＴＶ量が得られるように不図示のシャッター先幕及び後幕の走行制御を行う。
【００６０】
更に（３１３）で、給送モータ／チャージモータ制御回路９により、ミラーをダウンする、と同時にシャッターのチャージを行い、（３０６）でレンズ制御回路２によりレンズ１３に通信し、絞り込まれていた絞りを開放に戻す。
【００６１】
最後に、（３１４）で給送モータ／チャージモータ制御回路９を用いてマイクロコンピューター１からの制御信号に従って、フィルムの巻き上げを行い、（３０１）に戻る。
【００６２】
次に図１のフロー図を用いて本実施例を説明する。図１のフロー図は図３のステップ３０１のスイッチ入力と表示の一部の動作を示したものである。
【００６３】
最初に、（１０１）で露出補正設定用の第６のスイッチＳＷ６が押されているかどうかの判定を行い、押されていない時は（１０９）に進み露出補正は設定しない。第６のスイッチＳＷ６が押されている場合は露出補正の設定を行う前に、ＡＥロックをあらかじめかけるためにＡＥロックがかかっているかどうかの判定を行う（１０３）に進む。
【００６４】
ＡＥロックがかかっていないと判断された場合は、（１０４）でＡＥロックをかける。測光がされていなければ測光を行い該測光値をロックする。また、すでに測光がされている場合は最新の測光値をロックする。すでにＡＥロックがかかっている場合はそのまま次のステップ（１０５）に進む。
【００６５】
（１０５）で、電子ダイアル１０により露出補正値が入力されたかどうかつまり電子ダイアル１０が回転したかどうかの判定を行い、入力されていない場合は設定を行わないためそのまま（１０９）に進む。露出補正値が入力されている場合は（１０６）で、すでに設定されている補正量に、電子ダイアル１０の値に応じて、補正量を増やしたり、減らしたりする露出補正量の修正を行う。
【００６６】
（１０７）でＡＥロックを解除するか否かの判定のため、露出補正量の修正結果が０であるかどうかの判定を行い、露出補正量が０である場合は（１０８）へ進みＡＥロックを解除し、０でない場合はＡＥロックがかけられ同時に露出補正が設定された状態で（１０９）に進む。
【００６７】
（１０９）では、クリアースイッチＳＷ７が押されているかどうかの判定を行い、押されていない場合はそのまま終了し、押されている場合は（１１０）で、ＡＥロックを解除すると同時に露出補正量を０にする。
【００６８】
以上説明した本実施例を用いることにより、ＡＥロックのかかった状態で露出補正を設定することができ、撮影者の作画に合った露出を迅速に設定することが可能となる。
【００６９】
＜第２の実施例＞
上記の第１の実施例ではクリアースイッチＳＷ７を用いた実施例について説明したが、本実施例においては、クリアースイッチＳＷ７を用いない例について図４のフロー図により説明する。
【００７０】
（４０１）で露出補正設定用の第６のスイッチＳＷ６が押されているかどうかの判定を行い、押されていない時はそのまま露出補正は設定せず終了する。第６のスイッチＳＷ６が押されている場合は、（４０３）で電子ダイアル１０により露出補正値が入力されたかどうかつまり電子ダイアルが回転したかどうかの判定を行い、入力されていない場合はそのまま終了する。露出補正値が入力されている場合は次の（４０４）に進む。
【００７１】
ＡＥロックのかかっている状態で露出補正を設定するために、（４０４）でＡＥロックがすでにかかっているかどうかの判定を行い、ＡＥロックがかかっていない場合は、（４０５）でまだ測光がされていなければ測光を行い該測光値をロックする。また、すでに測光がされている場合は最新の測光値をロックし、電子ダイアル１０で入力した値を１つ減らし右に３なら右に２、左に２なら左に１として解釈し、再び（４０４）に戻りＡＥロックがかかっているかどうかの判定を行う。
【００７２】
すでにＡＥロックがかかっている場合は、露出補正を行うため（４０６）で電子ダイアル１０の値に応じて露出補正量を修正する。（４０５）で電子ダイアル１０をプラス方向に１入力してＡＥロックをかけた場合は、ここでマイナス１が入力された場合は０と計算する。逆に、ここで、プラス１が入力されて初めてプラス補正がされる。また、（４０５）で電子ダイアルをマイナス方向に１入力してＡＥロックをかけた場合は、ここでプラス１が入力された場合は０と計算する。逆に、ここで、マイナス１が入力されて初めてマイナス補正がされる。
【００７３】
ＡＥロックを解除するか否かを判定するため、（４０７）で露出補正量の修正結果が０であるかどうかの判定を行い、０である場合は（４０８）でＡＥロックを解除し終了する。０でない場合はＡＥロックと、露出補正のかかったまま終了する。
【００７４】
上記の動作を図５、図６のファインダー内表示例を用いて、説明する。図中で５０１はＡＥロックがかかった場合に表示されるＡＥロックマークであり、５０２はシャッタースピード値、５０３は絞り値を表示し、５０４で露出補正量を表示する。  初めに図５を用いて、露出補正をプラス側に設定してから露出補正量を０に戻しＡＥロックを解除する経過を説明する。本実施例では、露出モードは絞り優先でＦ５．６であるとする。
【００７５】
図５（ａ）は第６のスイッチＳＷ６を押しながら電子ダイアル１０を押す前の表示であり、露出補正量はゼロであり、ＡＥロックもかかっていない。
【００７６】
図５（ａ）から図５（ｂ）にかけて第６のスイッチＳＷ６を押しながらプラス側に１ステップ電子ダイアル１０を入力する。
【００７７】
図５（ｂ）はＡＥロックがかかりＡＥロックマーク５０１が表示された状態を示している。ロックされた測光値は絞りＦ５．６に対してシャッタースピードで１／５００である。
【００７８】
図５（ｂ）から図５（ｃ）にかけて第６のスイッチＳＷ６を押しながらプラス側にさらに１ステップ電子ダイアル１０を入力する。
【００７９】
図５（ｃ）は図５（ｂ）でロックされた値に対してプラス０．５段の露出補正がかけられたようすを示す。プラス０．５段の露出補正がかけられたことにより、シャッター秒時は１／５００が１／３５０と半段遅くなった。
【００８０】
図５（ｃ）から図５（ｄ）にかけて第６のスイッチＳＷ６を押しながらプラス側にさらに１ステップ電子ダイアル１０を入力する。
【００８１】
図５（ｄ）は図５（ｃ）の値に対してさらにプラス０．５段の露出補正がかけられたようすを示す。つまり、プラス１段露出補正がかけられたことになる。プラス１．０段の露出補正がかけられたことにより、シャッター秒時は１／５００が１／２５０と１段遅くなった。
【００８２】
図５（ｄ）から図５（ｅ）にかけて第６のスイッチＳＷ６を押しながらマイナス側に１ステップ電子ダイアル１０を入力する。
【００８３】
図５（ｅ）は図５（ｄ）の値に対してマイナス０．５段の露出補正がかけられたようすを示す。つまり、合計でプラス０．５段露出補正がかけられたことになる。よってシャッター秒時は１／３５０となった。
【００８４】
図５（ｅ）から図５（ｆ）にかけて第６のスイッチＳＷ６を押しながらマイナス側にさらに１ステップ電子ダイアル１０を入力する。
【００８５】
図５（ｆ）は図５（ｅ）の値に対してさらにマイナス０．５段の露出補正がかけられたようすを示す。つまり、合計で補正量は０となり、露出補正が解除され同時にＡＥロックも解除された。そこで、ＡＥロックマーク５０１が消えると共に、図５（ｂ）のＡＥロックがかかったときよりも、少し明るいところ見た結果シャッター秒時が１／５００から１／１０００に変った。
【００８６】
次に、図６を用いてＡＥロックをかけて、露出補正をかける前にＡＥロックを解除する例について説明する。
【００８７】
図６（ａ）は第６のスイッチＳＷ６を押しながら電子ダイアル１０を押す前の表示であり、露出補正量は０であり、ＡＥロックもかかっていない。
【００８８】
図６（ａ）から図６（ｂ）にかけて第６のスイッチＳＷ６を押しながらプラス側に１ステップ電子ダイアル１０を入力する。
【００８９】
図６（ｂ）はＡＥロックがかかりＡＥロックマーク５０１が表示された。ロックされた測光値は絞りＦ５．６に対してシャッタースピードで１／５００である。
【００９０】
図６（ｂ）から図６（ｃ）にかけて第６のスイッチＳＷ６を押しながらマイナス側に１ステップ電子ダイアル１０を入力する。
【００９１】
図６（ｃ）は図６（ｂ）でＡＥロックをかけた方向と逆に電子ダイアル１０を回転させたようすを示す。つまり、合計で補正量は０となり、露出補正が解除され同時にＡＥロックも解除された。そこで、ＡＥロックマーク５０１が消えると共に図６（ｂ）のＡＥロックがかかったときよりも、少し暗いところを見た結果１／５００から１／１２５に変った。
【００９２】
以上で説明した本実施例を用いることにより、露出補正をかける動作と同じ操作でＡＥロックをかけたり、解除したり出来るので、撮影者の作画に合った露出を迅速に設定することが可能となる。また、各種の操作をする必要が無くなり操作性が向上する。
【００９３】
＜第３の実施例＞
以上の実施例は電子ダイアルを１つ有する場合で露出補正設定用の第６のスイッチＳＷ６を押しながら電子ダイアルを回し露出補正を設定する例について説明したが、本実施例では、電子ダイアルを２つ有し、１つの電子ダイアルを露出補正入力専用に用いる場合について説明する。
【００９４】
図７は、本実施例のカメラの電気制御を表したブロック図であり、図２の電気制御ブロック図に対して露出補正値を設定する手段としての第２の電子ダイアル１５が追加されたものである。ここでは、第２の電子ダイアル１５をサブ電子ダイアル１５と表現する。
【００９５】
ここでサブ電子ダイアル１５は露出補正入力用の専用電子ダイアルであり、以下に説明する該サブ電子ダイアル１５によるＡＥロック機能と露出補正量の修正動作が本実施例の特徴となる。
【００９６】
本実施例を図８、図９を用いて説明する。
【００９７】
始めに図８を用いて、サブ電子ダイアル１５の１入力でＡＥロックと同時に露出補正を１ステップかける例について説明し、次に図９を用いてサブ電子ダイアル１５に１入力でＡＥロックをかけ、もう１入力で露出補正を１ステップかける例について説明する。
【００９８】
図８のフロー図について説明する。
【００９９】
最初に露出補正を行うか否かを判定するため、（８０１）でサブ電子ダイアル１５により露出補正値が入力されたかどうかつまり電子ダイアルが回転したかどうかの判定を行い、入力されていない場合はそのまま終了する。入力されている場合はＡＥロックの判定に進む。
【０１００】
ＡＥロックをかけるため、（８０３）でＡＥロックがかかった状態か否かの判定を行い、ＡＥロックがかかっていないと判断された場合は、（８０４）でまだ測光がされていなければ測光を行いその値をロックする。また、すでに測光がされている場合は最新の測光値をロックする。すでにＡＥロックがかかっている場合は（８０４）へ進まず（８０５）の露出補正量の修正に進む。
【０１０１】
（８０５）の露出補正量の修正では、すでに設定されている補正量に、入力したサブ電子ダイアル１５の値に応じて、補正量を増やしたり、減らしたりする。
【０１０２】
次に、ＡＥロックを解除するか否か判定するため（８０６）で露出補正量の修正結果が０であるかどうかの判定を行い、０である場合は（８０７）でＡＥロックを解除し終了する。０でない場合は、ＡＥロックと露出補正のかかったまま終了する。
【０１０３】
次に図９のフロー図について説明する。
【０１０４】
最初に露出補正を行うか否かを判定するため、（９０１）でサブ電子ダイアル１５により露出補正値が入力されたかどうかつまり電子ダイアルが回転したかどうかの判定を行い、入力されていない場合はそのまま終了する。入力されている場合はＡＥロックの判定に進む。
【０１０５】
ＡＥロックをかけるため、（９０３）でＡＥロックがすでにかかっているかどうかの判定を行い、ＡＥロックがかかっていない場合は（９０４）でまだ測光がされていなければ測光を行いその値をロックする。また、すでに測光がされている場合は最新の測光値をロックする。次に、（９０５）へ進みＡＥロックに要した分だけカウント値を修正するために、入力したサブ電子ダイアル１５の値を１つ減らし右に３なら右に２、左に２なら左に１として解釈し再び（９０３）に戻りＡＥロックがかかっているかどうかの判定に戻る。すでにＡＥロックがかかっている場合は露出補正量を修正する為に（９０６）に進む。
【０１０６】
（９０６）では、サブ電子ダイアル１５の入力値に応じて、露出補正量を修正する。サブ電子ダイアル１５をプラス方向に１入力して（９０４）でＡＥロックをかけた場合は、ここでマイナス１が入力された場合は０と計算する。逆に、ここで、プラス１が入力されて初めてプラス補正がされる。また、サブ電子ダイアル１５をマイナス方向に１入力して（９０４）でＡＥロックをかけた場合は、ここでプラス１が入力された場合は０と計算する。逆に、ここで、マイナス１が入力されて初めてマイナス補正がされる。こうすることにより、露出補正量が０でＡＥロックがかかっている場合でも、適宜プラス１又はマイナス１を入力すると後述のようにＡＥロックが解除される。
【０１０７】
ＡＥロックを解除するため、（９０７）で露出補正量の修正結果が０であるかどうかの判定を行い、０である場合は（９０８）へ進みＡＥロックを解除し終了する。０でない場合は、ＡＥロックと露出補正のかかったまま終了する。
【０１０８】
本実施例を用いることにより、サブ電子ダイアル１５を操作するだけで、ＡＥロック動作と露出補正動作が可能となり、撮影者が撮影意図にあった露出の決定が非常にしやすくなって、操作性が非常に向上する。また、複数の操作部材を操作しなくてすむという意味でシャッターチャンスを逃すことが少なくなる。
【０１０９】
＜第４の実施例＞
本実施例で、測光モードが限られたエリアを測光するモード（部分測光、スポット測光）に設定されている場合にのみ、上記で説明してきた、ＡＥロックと露出補正設定の１動作化を実行する実施例を説明する。
【０１１０】
本実施例を図１０、図１１を用いて説明する。
【０１１１】
始めに図１０を用いて、サブ電子ダイアル１５の１入力でＡＥロックと同時に露出補正を１ステップかける例について説明し、次に図１１を用いてサブ電子ダイアル１５の１入力でＡＥロックをかけ、もう１入力で露出補正を１ステップかける例について説明する。
【０１１２】
図１０のフロー図について説明する。
【０１１３】
最初に露出補正を行うか否かを判定するため、（１００１）でサブ電子ダイアル１５により露出補正値が入力されたかどうかつまり電子ダイアルが回転したかどうかの判定を行い、入力されていない場合はそのまま終了する。入力されている場合は（１００３）の測光モードの判定に進む。
【０１１４】
測光モードにより対応を変えるため、（１００３）で測光モードが部分測光やスポット測光のようなごく限られた範囲の測光するモードに設定されているかどうかの判定を行い、部分測光やスポット測光などの限られた範囲を測光するモードが設定されている場合は、（１００５）に進みＡＥロック動作を行うが、平均測光や分割測光等の広い範囲を測光するモードが設定されている場合は、サブ電子ダイアル１５でＡＥロックはかからず、露出補正をかけるために（１００４）へ進み、すでに設定されている補正量に、サブ電子ダイアル１５の入力値に応じて、補正量を増やしたり、減らしたりし、そのまま終了する。
【０１１５】
ＡＥロックをかけるため、（１００５）でＡＥロックがかかった状態かかかっていない状態かの判定を行い、ＡＥロックがかかっていないと判断された場合は（１００６）で、まだ測光がされていなければ測光を行い該測光値をロックする。また、すでに測光がされている場合は最新の測光値をロックする。すでにＡＥロックがかかっている場合は（１００５）から（１００７）へ進み露出補正量の修正に進む。
【０１１６】
（１００７）の露出補正量の修正では、すでに設定されている補正量に、サブ電子ダイアル１５の入力値に応じて、補正量を増やしたり、減らしたりする。
【０１１７】
次に、ＡＥロックを解除するか否かの判定を行うため、（１００８）で露出補正量の修正結果が０であるかどうかの判定を行い、０である場合は（１００９）でＡＥロックを解除し終了する。０でない場合はＡＥロックと、露出補正のかかったまま終了する。
【０１１８】
次に図１１のフロー図について説明する。
【０１１９】
最初に、露出補正を行うか否かを判定するため、（１１０１）でサブ電子ダイアル１５により露出補正値が入力されたかどうかつまり電子ダイアルが回転したかどうかの判定を行い、入力されていない場合はそのまま終了する。入力されている場合は、（１１０３）の測光モードの判定に進む。
【０１２０】
測光モードにより対応を変えるため、（１１０３）で測光モードが部分測光やスポット測光のようなごく限られた範囲を測光するモードが設定されているかどうかの判定を行い、部分測光やスポット測光などの限られた範囲を測光するモードが設定されている場合は、（１１０５）に進みＡＥロック動作を行うが、平均測光や分割測光等の広い範囲を測光するモードが設定されている場合は、サブ電子ダイアル１５でＡＥロックはかからず、露出補正をかけるために（１１０４）へ進み、すでに設定されている補正量に、サブ電子ダイアル１５の入力値に応じて、補正量を増やしたり、減らしたりし、そのまま終了する。
【０１２１】
ＡＥロックをかけるため、（１１０５）でＡＥロックがすでにかかっているかどうかの判定を行い、かかっていないと判断された場合は（１１０６）で、まだ測光がされていなければ測光を行いその値をロックする。また、すでに測光がされている場合は最新の測光値をロックする。次に（１１０７）へ進みＡＥロックに要した分だけカウント値を修正するために、入力したサブ電子ダイアル１５の値を１つ減らし右に３なら右に２、左に２なら左に１として解釈し、再び（１１０５）に戻りＡＥロックがかかっているかどうかの判定を行う。すでにＡＥロックがかかっている場合は（１１０６）へ進まず露出補正量を修正する為に（１１０８）に進む。
【０１２２】
（１１０８）では、サブ電子ダイアル１５の入力値に応じて、露出補正量を修正する。サブ電子ダイアル１５をプラス方向に１入力して（１１０６）でＡＥロックをかけた場合は、ここでマイナス１が入力された場合（前述したサブ電子ダイアル１５の１入力でＡＥロックをかけ、もう１入力された場合）は０と計算する。逆に、ここで、プラス１が入力されて初めてプラス補正がされる。また、サブ電子ダイアル１５をマイナス方向に１入力して（１１０６）でＡＥロックをかけた場合は、ここでプラス１が入力された場合は０と計算する。逆に、ここで、マイナス１が入力されて初めてマイナス補正がされる。こうすることにより、露出補正量が０でＡＥロックがかかっている場合でも、適宜プラス１又はマイナス１を入力すると後述のようにＡＥロックが解除される。
【０１２３】
ＡＥロックを解除するため、（１１０９）で露出補正量の補正結果が０であるかどうかの判定を行い、０である場合は（１１１０）へ進みＡＥロックを解除し終了する。０でない場合は、ＡＥロックと露出補正のかかったまま終了する。
【０１２４】
本実施例を用いることにより、測光モードを考慮した露出補正設定とＡＥロックの１動作化が可能となり、測光モードの考え方にあった操作性が向上する。
【０１２５】
＜第５の実施例＞
本実施例で、ＡＥロックと露出補正設定の１動作化を実行する場合は強制的に測光モードを限られたエリアを測光するモード（部分測光、スポット測光）に設定する実施例を説明する。
【０１２６】
本実施例を図１２、図１３を用いて説明する。
【０１２７】
始めに図１２を用いて、サブ電子ダイアル１５の１入力でＡＥロックと同時に露出補正を１ステップかける例について説明し、次に図１３を用いてサブ電子ダイアル１５の１入力でＡＥロックをかけ、もう１入力で露出補正を１ステップかける例について説明する。
【０１２８】
図１２のフロー図について説明する。
【０１２９】
最初に露出補正を行うか否かを判定するため、（１２０１）でサブ電子ダイアル１５により露出補正値が入力されたかどうかつまり電子ダイアルが回転したかどうかの判定を行い、入力されていない場合はそのまま終了する。入力されている場合は（１２０３）のＡＥロックに進む。
【０１３０】
ＡＥロックをかけるため、（１２０３）でＡＥロックがかかった状態かかかっていない状態かの判定を行い、ＡＥロックがかかっていないと判断された場合は（１２０４）で部分測光やスポット測光のようなごく限られた範囲を測光する測光モードに切り替え、測光を行い（１２０５）で測光がされた値をＡＥロックする。すでにＡＥロックがかかっている場合は（１２０４）へ進まず（１２０６）の露出補正量の修正に進む。
【０１３１】
（１２０６）の露出補正量の修正では、すでに設定されている補正量に、サブ電子ダイアル１５の入力値に応じて、補正量を増やしたり、減らしたりする。
【０１３２】
次にＡＥロックを解除するか否かの判定を行うため、（１２０７）で露出補正量の補正結果が０であるかどうかの判定を行い、０である場合は（１２０８）でＡＥロックを解除すると同時にもとの測光エリアにもどし終了する。０でない場合はＡＥロックと露出補正のかかったまま終了する。
【０１３３】
次に図１３のフロー図について説明する。
【０１３４】
最初に露出補正を行うか否かを判定するため、（１３０１）でサブ電子ダイアル１５により露出補正値が入力されたかどうかつまり電子ダイアルが回転したかどうかの判定を行い、入力されていない場合はそのまま終了する。入力されている場合は、（１３０３）のＡＥロックの判定に進む。
【０１３５】
ＡＥロックをかけるため、（１３０３）でＡＥロックがすでにかかっているかどうかの判定を行い、まだ、ＡＥロックがかかっていない場合は（１３０４）で部分測光やスポット測光のようなごく限られた範囲を測光する測光モードに切り替え、測光を行い（１３０５）で測光のされた値をＡＥロックする。次に（１３０６）でＡＥロックに要した分だけカウント値を修正するために、入力したサブ電子ダイアル１５の値を１つ減らし右に３なら右に２、左に２なら左に１として解釈し、再び（１３０３）に戻りＡＥロックがかかっているかどうかの判定を行う。すでにＡＥロックがかかっている場合は（１３０４）へ進まず露出補正量を修正する為に（１３０７）に進む。
【０１３６】
（１３０７）では、サブ電子ダイアル１５の入力値に応じて、露出補正量を修正する。サブ電子ダイアル１５をプラス方向に１入力して（１３０５）でＡＥロックをかけた場合は、ここでマイナス１が入力された場合（前述したサブ電子ダイアル１５の１入力でＡＥロックをかけ、もう１入力された場合）は０と計算する。逆に、ここで、プラス１が入力されて初めてプラス補正がされる。また、サブ電子ダイアル１５をマイナス方向に１入力して（１３０５）でＡＥロックをかけた場合は、ここでプラス１が入力された場合は０と計算する。逆に、ここで、マイナス１が入力されて初めてマイナス補正がされる。こうすることにより、露出補正量が０でＡＥロックがかかっている場合でも、適宜プラス１又はマイナス１を入力すると後述のようにＡＥロックが解除される。
【０１３７】
ＡＥロックを解除するため、（１３０８）で露出補正量の修正結果が０であるかどうかの判定を行い、０である場合は（１３０９）へ進みＡＥロックを解除すると同時に測光エリアをもとにもどし終了する。０でない場合は、ＡＥロックと露出補正のかかったまま終了する。
【０１３８】
本実施例を用いることにより、測光モードを強制的に部分測光やスポット測光モードにした露出補正設定とＡＥロックの１動作化が可能となる。
【０１３９】
【発明の効果】
請求項１に係る発明によれば、露出補正入力部材を操作したまま露出補正値を設定する手段を操作するだけで測光値の固定と、露出補正量の設定が行え、カメラの露出補正の操作性が良くなる。
【０１４０】
請求項２に係る発明によれば、露出補正入力部材を操作した後に露出補正値を設定する手段を操作することで、露出補正量の設定が行なえ、カメラの露出補正の操作性が良くなる。
【０１４１】
請求項３に係る発明によれば、露出補正値を設定する手段を順次操作することにより測光値の固定と露出補正が順次行え、カメラの露出補正の操作性が良くなる。
【０１４２】
請求項４に記載の発明によれば、部分測光またはスポット測光等の画面内のごく限られた部分を測光する測光モードが測光モード切り替え手段により選択されている場合に、露出補正を設定する手段の操作により、測光値を固定すると共に露出補正量を設定することができる。
また、請求項５に係る発明によれば、露出補正を設定する手段の操作により、測光値の固定状態を解除でき、カメラの露出補正の操作性が良くなる。
【０１４３】
請求項６に係る発明によれば、部分測光またはスポット測光等の画面内のごく限られた部分を測光する測光モードが前記測光モード切り替え手段により選択されている場合に、露出補正値を設定する手段の一回目の操作で測光値を固定し、その後の操作で露出補正量を修正するので、カメラの露出補正の操作性が良くなる。
【０１４４】
請求項７に係る発明によれば、露出補正値を設定する手段の操作により測光モードを部分測光またはスポット測光に強制的に切り替えて測光し、前記測光値を固定すると共に露出補正値を設定するので、カメラの露出補正の操作性が良くなる。
【図面の簡単な説明】
【図１】第１の実施例を示すフロー図
【図２】カメラのブロック図
【図３】カメラの一連の動作を示すフロー図
【図４】第２の実施例を示すフロー図
【図５】第２の実施例の表示例
【図６】第２の実施例の表示例
【図７】カメラのブロック図
【図８】第３の実施例を示すフロー図
【図９】第３の実施例を示すフロー図
【図１０】第４の実施例を示すフロー図
【図１１】第４の実施例を示すフロー図
【図１２】第５の実施例を示すフロー図
【図１３】第５の実施例を示すフロー図
【符号の説明】
１…マイクロコンピューター          ２…レンズ制御回路
３…液晶表示回路                    ４…スイッチセンス回路
５…ストロボ発光／調光制御回路      ６…焦点検出回路
７…測光回路                        ８…シャッター制御回路
９…モータ制御回路                  １０…第１の電子ダイアル
１１…外部表示部材                  １２…内部表示部材
１３…交換レンズ                    １４…外付けストロボ
１５…第２の電子ダイアル（サブ電子ダイアル）
【図１】
0003563807.tif 000002
【図２】
0003563807.tif 000003
【図３】
0003563807.tif 000004
【図４】
0003563807.tif 000005
【図５】
0003563807.tif 000006
【図６】
0003563807.tif 000007
【図７】
0003563807.tif 000008
【図８】
0003563807.tif 000009
【図９】
0003563807.tif 000010
【図１０】
0003563807.tif 000011
【図１１】
0003563807.tif 000012
【図１２】
0003563807.tif 000013
【図１３】
0003563807.tif 000014